(57)【特許請求の範囲】
【請求項１】
システムに接続されている所定の機器との接続の有無を判定する接続判定手段と、
前記接続判定手段で、前記所定の機器と接続されていると判定された場合に、画像形成についての自らの設定状態に関する情報である所定の設定情報を前記所定の機器に対して送信する送信手段と、
前記所定の機器から返信される画像形成についての当該所定の機器の設定状態に関する情報である所定の設定情報を受信する受信手段と、
前記受信手段により受信した前記所定の機器の前記所定の設定情報に基づいて自らの前記所定の設定情報を更新する更新手段とを備えた画像形成装置であり、
前記所定の機器には、当該画像形成装置と同一属性を備える画像形成装置および当該画像形成装置と類似の属性を備える画像形成装置を含み、
当該画像形成装置は、さらに、前記接続判定手段で判定された所定の機器が、前記同一属性を備える画像形成装置で無い場合には、前記システムのネットワーク上における前記同一属性または前記類似の属性を備える画像形成装置の有無を検索する検索手段を備え、
当該検索手段は、前記更新手段による自らの前記所定の設定情報の更新が完了した場合に、前記検索手段は、前記システムのネットワーク上において自らの前記所定の設定情報について同様の更新を行うべき前記同一属性を備える画像形成装置または前記類似の属性を備える画像形成装置の有無を検索し、または予め指定された画像形成装置を検索する、
ことを特徴とする画像形成装置。
【請求項２】
前記所定の設定情報は、当該画像形成装置のシステムプログラムおよび設定パラメータの何れかを含むことを特徴とする請求項１に記載の画像形成装置。
【請求項３】
前記接続判定手段は、前記類似の属性を備える画像形成装置について、類似の程度を予め設定した類似情報に基づいて判定することを特徴とする請求項１または２に記載の画像形成装置。
【請求項４】
前記所定の設定情報のうち、前記更新手段による更新で適用する情報を選択する選択手段を備えることを特徴とする請求項１から請求項３の何れかに記載の画像形成装置。
【請求項５】
前記接続判定手段で判定された所定の機器が、前記同一属性を備える画像形成装置の場合に、前記システムのネットワークに接続されている全部または一部の機器の前記所定の設定情報を収集する情報収集手段と、
該情報収集手段によって収集された前記所定の設定情報と、自らの前記所定の設定情報とを比較する比較手段と、
を備え、
前記更新手段は、前記比較手段の比較結果に基づいて自らの前記所定の設定情報の更新を行うことを特徴とする請求項１から請求項４の何れかに記載の画像形成装置。
【請求項６】
前記比較手段は、前記情報収集手段によって収集された前記所定の設定情報と、自らの前記所定の設定情報とを比較して共通設定項目を抽出し、
前記更新手段は、前記共通設定項目について自らの前記所定の設定情報の更新を行うことを特徴とする請求項５に記載の画像形成装置。
【請求項７】
前記検索手段で同様の更新を行うべき前記同一属性を備える画像形成装置または前記類似の属性を備える画像形成装置が検出された場合には、前記送信手段は当該検出された画像形成装置に対して更新済みの自らの前記所定の設定情報を送信することを特徴とする請求項１から請求項６の何れかに記載の画像形成装置。
【請求項８】
請求項１から請求項７の何れかに記載の１または２以上の画像形成装置と、
前記システムのネットワークを介して前記画像形成装置と接続される１または２以上の前記所定の機器と、
から構成されることを特徴とする画像形成システム。
【請求項９】
前記所定の機器の少なくとも１つは、前記画像形成装置の前記所定の設定情報および前記所定の設定情報の少なくとも一方を格納するサーバで構成されていることを特徴とする請求項８に記載の画像形成システム。
【請求項１０】
前記検索手段は、前記サーバで構成されていることを特徴とする請求項９に記載の画像形成システム。
【請求項１１】
前記情報収集手段は、前記サーバで構成されていることを特徴とする請求項９または請求項１０の何れかに記載の画像形成システム。
【請求項１２】
前記各画像形成装置の前記所定の設定情報および前記所定の機器の前記所定の設定情報は、所定の規則に従って統合された形式で格納されることを特徴とする請求項９から請求項１１の何れかに記載の画像形成システム。
【発明の詳細な説明】
【技術分野】
【０００１】
本発明は、画像形成装置、画像形成システムおよび画像形成プログラムに関するものである。
【背景技術】
【０００２】
画像形成装置の一種としてのプリンタが複数台にわたってネットワークを介して接続されたシステムに、さらに新規にプリンタを導入しようとする際には種々の設定が必要である。
【０００３】
例えば、新規のプリンタが工場出荷時の初期設定のままである場合には、システムに必要な機能がオフになっていたり、あるいはシステムで禁止されている機能がオンになっていたりして、設定をし直さないとネットワークに接続できないことがあった。
【０００４】
また、システムのユーザからは、システムに接続されているプリンタについては、何れのプリンタを使用する場合にも同様の操作環境や出力状態を得られるように、できるだけ同じ設定（例えば、両面印刷、用紙サイズ、優先トレイ等について同一設定）にして欲しいという要望がある。
【０００５】
しかし、プリンタを導入しようとするシステム管理者等にとって、それらの設定をプリンタのメニュー画面等から行うことは時間がかかって煩わしく、作業負担が大きいという問題があった。
【０００６】
一方で、作業負担の軽減を図るべく、ネットワーク上に複数台のプリンタが接続されたシステムにおいて、ネットワーク上のある特定のプリンタのシステムプログラムをバージョンアップした場合に、そのプリンタが接続されたネットワーク上の属性を同じくする他のプリンタのシステムプログラムも同時に更新される技術が提案されている（例えば、特開２０００−２１５０３４号公報等）。
【０００７】
しかしながら、上記の技術においては、作業負担が軽減されるのはプログラムのバージョンアップ作業についてのみであり、パラメータ設定等の設定については従来通り、ユーザやシステム管理者等が手動で行う必要があった。
【特許文献１】特開２０００−２１５０３４号公報
【発明の開示】
【発明が解決しようとする課題】
【０００８】
本発明は、設定作業の負担を軽減して利便性を向上させることのできる画像形成装置および画像形成システムを提供することを目的とする。
【課題を解決するための手段】
【０００９】
前記課題を解決するため、請求項１の発明に係る画像形成装置は、システムに接続されている所定の機器との接続の有無を判定する接続判定手段と、前記接続判定手段で、前記所定の機器と接続されていると判定された場合に、画像形成についての自らの設定状態に関する情報である所定の設定情報を前記所定の機器に対して送信する送信手段と、前記所定の機器から返信される画像形成についての当該所定の機器の設定状態に関する情報である所定の設定情報を受信する受信手段と、前記受信手段により受信した前記所定の機器の前記所定の設定情報に基づいて自らの前記所定の設定情報を更新する更新手段とを備えた画像形成装置であり、前記所定の機器には、当該画像形成装置と同一属性を備える画像形成装置および当該画像形成装置と類似の属性を備える画像形成装置を含み、当該画像形成装置は、さらに、前記接続判定手段で判定された所定の機器が、前記同一属性を備える画像形成装置で無い場合には、前記システムのネットワーク上における前記同一属性または前記類似の属性を備える画像形成装置の有無を検索する検索手段を備え、当該検索手段は、前記更新手段による自らの前記所定の設定情報の更新が完了した場合に、前記検索手段は、前記システムのネットワーク上において自らの前記所定の設定情報について同様の更新を行うべき前記同一属性を備える画像形成装置または前記類似の属性を備える画像形成装置の有無を検索し、または予め指定された画像形成装置を検索する、ことを特徴とする。
【００１０】
請求項２の発明に係る画像形成装置は、前記所定の設定情報は、当該画像形成装置のシステムプログラムおよび設定パラメータの何れかを含むことを特徴とする。
【００１３】
請求項３の発明に係る画像形成装置は、請求項１または２に記載の発明において、前記接続判定手段は、前記類似の属性を備える画像形成装置について、類似の程度を予め設定した類似情報に基づいて判定することを特徴とする。
【００１４】
請求項４の発明に係る画像形成装置は、請求項１から請求項３の何れかに記載の発明において、前記所定の設定情報のうち、前記更新手段による更新で適用する情報を選択する選択手段を備えることを特徴とする。
【００１５】
請求項５の発明に係る画像形成装置は、請求項１から請求項４の何れかに記載の発明において、前記接続判定手段で判定された所定の機器が、前記同一属性を備える画像形成装置の場合に、前記システムのネットワークに接続されている全部または一部の機器の前記所定の設定情報を収集する情報収集手段と、該情報収集手段によって収集された前記所定の設定情報と、自らの前記所定の設定状態とを比較する比較手段とを備え、前記更新手段は、前記比較手段の比較結果に基づいて前記設定状態に関する情報の更新を行うことを特徴とする。
【００１６】
請求項６の発明に係る画像形成装置は、請求項５に記載の発明において、
前記比較手段は、前記情報収集手段によって収集された前記所定の設定情報と、自らの前記所定の設定状態とを比較して共通設定項目を抽出し、前記更新手段は、前記共通設定項目について自らの前記所定の設定情報の更新を行うことを特徴とする。
【００１８】
請求項７の発明に係る画像形成装置は、請求項１から請求項６の何れかに記載の発明において、前記検索手段で同様の更新を行うべき前記同一属性を備える画像形成装置または前記類似の属性を備える画像形成装置が検出された場合には、前記送信手段は当該検出された画像処理装置に対して更新済みの前記設定状態に関する情報を送信することを特徴とする。
【００１９】
請求項８の発明に係る画像形成システムは、請求項１から請求項７の何れかに記載の１または２以上の画像形成装置と、前記システムのネットワークを介して前記画像形成装置と接続される１または２以上の前記所定の機器とから構成されることを特徴とする。
【００２０】
請求項９の発明に係る画像形成システムは、請求項８に記載の発明において、前記所定の機器の少なくとも１つは、前記画像形成装置の前記所定の設定情報および前記所定の設定情報の少なくとも一方を格納するサーバで構成されていることを特徴とする。
【００２１】
請求項１０の発明に係る画像形成システムは、請求項９に記載の発明において、前記検索手段は、前記サーバで構成されていることを特徴とする。
【００２２】
請求項１１の発明に係る画像形成システムは、請求項９または請求項１０の何れかに記載の発明において、前記情報収集手段は、前記サーバで構成されていることを特徴とする。
【００２３】
請求項１２の発明に係る画像形成システムは、請求項９から請求項１１の何れかに記載の発明において、前記各画像形成装置の前記設定状態に関する情報および前記所定の設定情報は、所定の規則に従って統合された形式で格納されることを特徴とする。
【発明の効果】
【００２５】
本発明によれば以下の効果を奏することができる。
【００２６】
すなわち、請求項１に記載の発明によれば、本構成を有していない場合に比較して、画像形成についての自らの設定状態に関する情報である所定の設定情報を所定の機器に対して送信し、所定の機器から返信される所定の設定情報に基づいて設定状態に関する情報を更新しているので、設定作業の負担を軽減して利便性を向上させることができる。
また、請求項１に記載の発明によれば、本構成を有していない場合に比較して、ネットワーク上における同一属性または前記類似の属性を備える画像形成装置の有無を検索する検索手段を備えているので、同一属性または前記類似の属性を備える画像形成装置の情報等を活用することができ、利便性を向上させることができる。
さらに、請求項１に記載の発明によれば、本構成を有していない場合に比較して、同様の更新を行うべき同一属性を備える画像形成装置または類似の属性を備える画像形成装置の有無を検索あるいは予め指定された画像形成装置を検索しているので、これらの画像形成装置の情報等をより有効に活用することができ、利便性を向上させることができる。
【００２７】
請求項２に記載の発明によれば、本構成を有していない場合に比較して、所定の設定情報は、当該画像形成装置のシステムプログラムおよび設定パラメータの何れかを含んでいるので、システムプログラムおよび設定パラメータの設定作業や更新作業の負担を軽減して利便性を向上させることができる。
【００３０】
請求項３に記載の発明によれば、本構成を有していない場合に比較して、接続判定手段は、類似の属性を備える画像形成装置について、類似の程度を予め設定した類似情報に基づいて判定しているので、類似の属性を備える画像形成装置の情報等をより有効に活用することができ、利便性を向上させることができる。
【００３１】
請求項４に記載の発明によれば、本構成を有していない場合に比較して、所定の設定情報のうち、更新手段による更新で適用する情報を選択できるので、システムの状況等に合わせて適切な設定作業や更新作業を行うことができ、作業負担を軽減して利便性を向上させることができる。
【００３２】
請求項５に記載の発明によれば、本構成を有していない場合に比較して、ネットワークに接続されている全部または一部の機器の所定の設定情報を収集し、比較手段の比較結果に基づいて設定状態に関する情報の更新を行っているので、ネットワークに接続されている全部または一部の機器の情報等をより有効に活用することができ、利便性を向上させることができる。
【００３３】
請求項６に記載の発明によれば、本構成を有していない場合に比較して、共通設定項目について設定状態に関する情報の更新を行っているので、各機器の設定状態を共通化することができ、利便性を向上させることができる。
【００３５】
請求項７に記載の発明によれば、本構成を有していない場合に比較して、検出された画像処理装置に対して更新済みの設定状態に関する情報を送信しているので、各画像形成装置の設定状態を共通化することができ、作業負担を軽減して利便性を向上させることができる。
【００３６】
請求項８に記載の発明によれば、本構成を有していない場合に比較して、所定の機器から返信される所定の設定情報に基づいて設定状態に関する情報を更新しているので、設定作業の負担を軽減して利便性を向上させることができる。
【００３７】
請求項９に記載の発明によれば、本構成を有していない場合に比較して、所定の機器の少なくとも１つは、画像形成装置の前記所定の設定情報および所定の設定情報の少なくとも一方を格納するサーバで構成されているので、より効率的に情報活用を行うことができ、設定作業の負担を軽減して利便性を向上させることができる。
【００３８】
請求項１０に記載の発明によれば、本構成を有していない場合に比較して、検索手段は、サーバで構成されているので、より効率的に検索処理を行うことができ、設定作業の負担を軽減して利便性を向上させることができる。
【００３９】
請求項１１に記載の発明によれば、本構成を有していない場合に比較して、情報収集手段は、サーバで構成されているので、より効率的に情報収集処理を行うことができ、設定作業の負担を軽減して利便性を向上させることができる。
【００４０】
請求項１２に記載の発明によれば、本構成を有していない場合に比較して、所定の設定情報は、所定の規則に従って統合された形式で格納されているので、より効率的に情報管理を行うことができ、設定作業の負担を軽減して利便性を向上させることができる。
【発明を実施するための最良の形態】
【００４２】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００４３】
（第１の実施の形態）
【００４４】
図１から図６を参照して、本発明についての第１の実施の形態に係る画像形成システムＳ１について説明する。
【００４５】
図１は、画像形成システムＳ１の構成を示すブロック図である。
【００４６】
図１に示すように、画像形成システムＳ１は、ＬＡＮやＵＳＢ（Ｕｎｉｖｅｒｓａｌ  Ｓｅｒｉａｌ  Ｂｕｓ）接続等のインターフェイスＩを介して、画像処理装置の一種としてのプリンタＰＲ１、ＰＲ２と、パーソナルコンピュータ等で構成される情報処理装置ＰＣ１とが接続されて構成されている。
【００４７】
なお、本実施の形態では、２台のプリンタＰＲ１、ＰＲ２と、１台の情報処理装置ＰＣ１が接続されている場合を示しているが、これには限定されずそれぞれ２台以上を接続してもよいし、その他にネットワーク機能を有する画像入力装置（スキャナ等）などを接続してもよい。
【００４８】
また、本実施の形態では、プリンタＰＲ１とプリンタＰＲ２は、同じ属性（例えば、同一機種あるいは同一規格に準拠した製品）であるプリンタであることを想定するが、プリンタはレーザプリンタ、インクジェットプリンタ等、特に限定しない。
【００４９】
図２は、図１におけるプリンタＰＲ１及びプリンタＰＲ２の内部構成を示すブロック図である。
【００５０】
ＣＰＵ２ａは、フラッシュＲＯＭ２ｍに格納されているシステムプログラムに従って処理全体を制御する。
【００５１】
フラッシュＲＯＭ２ｍは、不揮発性メモリであり、システムプログラムが格納されている。本実施の形態に関わるシステムプログラムのコピー処理はこのフラッシュＲＯＭ２ｍから読み出されたり、ここに書き込まれたりする。
【００５２】
ジョブ管理部２ｂは、プリンタＰＲ１及びプリンタＰＲ２に送信されたデータを全体的に制御・管理する。
【００５３】
Ｉ／Ｆ制御部２ｃは、Ｉ／Ｆ２ｄの制御部であり、Ｉ／Ｆ２ｄの信号制御や送信されたデータをＲＡＭ（図示せず）にコピーしたりする。
【００５４】
また、Ｉ／Ｆ制御部２ｃは、ＵＳＢなどのポートが接続された状態を検知し、コピー処理を行うためにコピー制御部２ｌに指示を出す。
【００５５】
Ｉ／Ｆ２ｄは、ＵＳＢ、パラレル・インターフェイス・コネクタ等の各種インターフェイスである。なお、本実施の形態では、Ｉ／Ｆ２ｄはＵＳＢのインターフェイスであるものとする。
【００５６】
データ処理部２ｅは、受信したデータを解析してエンジン２ｇに出力するための画像処理を行う。
【００５７】
印刷制御部２ｆは、データ処理部２ｅで作成された画像とジョブ管理部２ｂから取得する情報からエンジン２ｇに対して印刷処理を実行する。また、エンジン２ｇとのコマンド制御なども行う。
【００５８】
エンジン２ｇは、実際に画像を出力する機器で構成される。
【００５９】
パネル制御部２ｈは、ユーザが操作するパネル２ｉを制御する。コピーの詳細指示などを認識してコピー制御部２ｌへの指示は、このパネル制御部２ｈで行われる。
【００６０】
パネル２ｉは、液晶表示パネル等で構成され、プリンタＰＲ１及びプリンタＰＲ２の情報を表示したり、ユーザが各種メニューに従って設定を行うためのユーザインターフェイスである。
【００６１】
データベース処理部２ｊは、記憶媒体２ｋへのデータ格納、記憶媒体２ｋからのデータ読み込みなどの制御を行う。
【００６２】
記憶媒体２ｋは、プリンタＰＲ１及びプリンタＰＲ２の電源がオフされても状態を保持できる不揮発性メモリである。各種パラメータ設定は、この記憶媒体２ｋに保存されている。
【００６３】
コピー制御部２ｌは、プリンタＰＲ１とプリンタＰＲ２を接続した際に、システムプログラム、設定パラメータをコピーするための制御を行う。
【００６４】
次に、図３のフローチャートを参照して、上記構成の画像形成システムＳ１で実行されるコピー処理の処理手順について説明する。
【００６５】
ここで、ＵＳＢは、ホスト側となるＡ端子、デバイス側となるＢ端子など端子形状はＵＳＢ規格で定められている。
【００６６】
なお、本実施の形態では、ＵＳＢ接続した際にＡ端子（ホスト側）が接続されたプリンタＰＲ１がコピー元、Ｂ端子が接続されたプリンタＰＲ２がコピー先と自動的に設定されるものとする。
【００６７】
また、これらの接続情報は図２のＩ／Ｆ制御部２ｃによって判断される。
【００６８】
次にコピー先となったプリンタＰＲ２は、コピー制御部２ｌが動作して、Ｉ／Ｆ制御部２ｃを介してコピー元となるプリンタＰＲ１の装置情報を取得する（ステップＳ１０２）。その取得情報により、コピー元のプリンタＰＲ１が同一属性のプリンタと認定された場合（「Ｙｅｓ」の場合）には、コピー対象が全てとなる。なお、ユーザはパネル２ｉからコピーする対象を設定することもができる（詳細は後述する）。
【００６９】
そして、詳細な設定がされていない場合は全てコピーする（ステップＳ１０４）。
【００７０】
一方、設定がされている場合は、その設定されたものだけをコピーする（ステップＳ１０５）。
【００７１】
また、コピー元が同一属性のプリンタで無かった場合（ステップＳ１０２で「Ｎｏ」と判定された場合）には、コピー元の印刷情報から、同一設定パラメータが存在するかを認定する（ステップＳ１０６）。
【００７２】
また、同一設定パラメータが存在する場合は、その同一設定パラメータをコピー対象として動作することとなる。
【００７３】
このように、本実施の形態によれば、設定パラメータの設定作業や更新作業の負担を軽減して利便性を向上させることができる。
【００７４】
次に、図４〜図６を参照して、システムプログラムや設定パラメータのコピーに関する詳細設定を行う場合について説明する。
【００７５】
図４では、システムプログラムのコピーの要否、コピーを行う場合の条件（無条件か、バージョンの新しい場合にコピーするかなど）を設定するようになっている。
【００７６】
図５は、設定パラメータのコピーについて、トレイ設定、ネットワーク設定、ＵＳＢ設定、システム設定、言語設定、使用制限設定の要否および各項目についての詳細設定を設定するようになっている。
【００７７】
図６には、図５の設定項目の一つであるトレイ設定についての詳細設定の例を示す。
【００７８】
例えば、トレイ１、２の設定については、コピーの要否、コピーする場合の用紙サイズ情報、用紙紙質情報の有無を設定することができる。
【００７９】
また、トレイの優先順位についての情報のコピーの要否も設定することができる。
【００８０】
このように、ユーザがコピーする情報について設定することができるので、システムの状況等に合わせて適切な設定作業や更新作業を行うことができ、作業負担を軽減して利便性を向上させることができる。
【００８１】
（第２の実施の形態）
【００８２】
図７と図８を参照して、本発明についての第２の実施の形態に係る画像形成システムＳ２について説明する。
【００８３】
図７は、画像形成システムＳ２の構成を示すブロック図である。
【００８４】
図７に示すように、画像形成システムＳ２は、ネットワークＮを介して、画像処理装置の一種としてのプリンタＰＲ３〜ＰＲ４と、パーソナルコンピュータ等で構成される情報処理装置ＰＣ１とが接続されている。そのシステムに対してＵＳＢ接続でプリンタＰＲ４にプリンタＰＲ５が接続され構成されている。
【００８５】
なお、本実施の形態では、３台のプリンタＰＲ３〜ＰＲ５が接続されている場合を示しているが、これには限定されず３台以上を接続してもよいし、その他にネットワーク機能を有する画像入力装置（スキャナ等）などを接続してもよい。
【００８６】
また、本実施の形態では、プリンタＰＲ３とプリンタＰＲ５は、同じ属性（例えば、同一機種あるいは同一規格に準拠したモデルＡ）を有し、プリンタＰＲ４は異なる属性（例えばモデルＢ）を備えるものとする。
【００８７】
なお、各プリンタＰＲ３〜ＰＲ５の構成は、第１の実施の形態で示したプリンタＰＲ１、ＰＲ２の構成と同様である（図２参照）。
【００８８】
また、プリンタＰＲ４とプリンタＰＲ５とはＵＳＢで接続され、ＵＳＢ接続した際にＡ端子（ホスト側）が接続されたプリンタＰＲ４がコピー元、Ｂ端子が接続されたプリンタＰＲ５がコピー先と自動的に設定されるものとする。
【００８９】
次に、図８のフローチャートを参照して、画像形成システムＳ２で実行されるコピー処理の処理手順について説明する。
【００９０】
まず、ＵＳＢ接続した際にＡ端子（ホスト）が接続されたプリンタＰＲ４がコピー元、Ｂ端子が接続されたプリンタＰＲ５がコピー先に自動的に設定される（ステップＳ２０１）。つまり、前述したようにコピー元がプリンタＰＲ４で、コピー先はプリンタＰＲ５となる。
【００９１】
コピー先であるプリンタＰＲ５は、コピー制御部２ｌが動作して、Ｉ／Ｆ制御部２ｃを介してコピー元となるプリンタＰＲ４の装置情報を取得する（ステップＳ２０２）。
【００９２】
取得した装置情報により、プリンタＰＲ５はプリンタＰＲ４が同一モデルのプリンタでは無いことを確認した場合には、コピー元であるプリンタＰＲ４に対してＩ／Ｆ制御部２ｃを介して自身のモデル情報（本実施の形態ではモデルＡ）を送信して、同一モデルの検索を依頼する。
【００９３】
依頼を取得したプリンタＰＲ４は、コピー制御部２ｌが動作して、ネットワークＮ内にあるプリンタから装置情報を取得して同一モデルの検索を実行する（ステップＳ２０４）。
【００９４】
プリンタＰＲ４は、プリンタＰＲ５と同一モデル（モデルＡ）であるプリンタＰＲ３を確認すると、プリンタＰＲ５に対してその情報を通知する（ステップＳ２０３）。
【００９５】
その後、プリンタＰＲ４を介してプリンタＰＲ３からコピー処理が行われる（ステップＳ２０５〜２０７）。
【００９６】
これにより、接続されたプリンタＰＲ３〜ＰＲ５に属性の異なるプリンタが混在する場合にも、システムプログラムや設定パラメータをコピーして更新することができる。
【００９７】
（第３の実施の形態）
【００９８】
図９〜図１１を参照して、本発明についての第３の実施の形態に係る画像形成システムＳ３について説明する。
【００９９】
図９は、画像形成システムＳ３の構成を示すブロック図である。
【０１００】
図９に示すように、画像形成システムＳ３は、ネットワークＮを介して、画像処理装置の一種としてのプリンタＰＲ６〜ＰＲ８と、パーソナルコンピュータ等で構成される情報処理装置ＰＣ１とが接続されている。そのシステムに対してＵＳＢ接続でプリンタＰＲ７にプリンタＰＲ９が接続され構成されている。
【０１０１】
なお、本実施の形態では、４台のプリンタＰＲ６〜ＰＲ９が接続されている場合を示しているが、これには限定されず４台以上を接続してもよいし、その他にネットワーク機能を有する画像入力装置（スキャナ等）などを接続してもよい。
【０１０２】
また、本実施の形態では、プリンタＰＲ６、ＰＲ８、ＰＲ９は、同じ属性（例えば、同一機種あるいは同一規格に準拠したモデルＡ）を有し、プリンタＰＲ７は異なる属性（例えばモデルＢ）を備えるものとする。
【０１０３】
なお、各プリンタＰＲ６〜ＰＲ９の構成は、第１の実施の形態で示したプリンタＰＲ１、ＰＲ２の構成と同様である（図２参照）。
【０１０４】
また、プリンタＰＲ７とプリンタＰＲ９とはＵＳＢで接続され、ＵＳＢ接続した際にＡ端子（ホスト側）が接続されたプリンタＰＲ９がコピー元、Ｂ端子が接続されたプリンタＰＲ７がコピー先と自動的に設定されるものとする。
【０１０５】
次に、図１０のフローチャートを参照して、画像形成システムＳ３で実行されるコピー処理の処理手順について説明する。
【０１０６】
まず、ＵＳＢ接続した際にＡ端子（ホスト）が接続されたプリンタＰＲ９がコピー元、Ｂ端子が接続されたプリンタＰＲ７がコピー先に自動的に設定される（ステップＳ２０１）。つまり、前述したようにコピー元がプリンタＰＲ９で、コピー先はプリンタＰＲ７となる。
【０１０７】
コピー先であるプリンタＰＲ７は、コピー制御部２ｌが動作して、Ｉ／Ｆ制御部２ｃを介してコピー元となるプリンタＰＲ９の装置情報を取得する（ステップＳ３０２）。
【０１０８】
取得した装置情報をコピーする際に、ユーザはコピー先のプリンタを特定することが出来る。
【０１０９】
ここで、図１１にコピー先設定の例を示す。
【０１１０】
図１１の例では、コピー先として「自分自身のみ」、「ネットワーク上の同一属性のプリンタ」、「ネットワーク上の特定のプリンタ」を選択することができるようになっている。
【０１１１】
「ネットワーク上の特定のプリンタ」の指定の仕方は特には限定されないが、図１１に示す例では、ＩＰアドレスを指定するか、あるいはプリンタ名を指定するようになっている。
【０１１２】
そして、プリンタＰＲ９は、その設定からコピー先がネットワークＮ内の他プリンタとなっていた場合は、その適応プリンタを検索する（ステップＳ３０４）。
【０１１３】
例えば、ネットワーク内の同一属性を備えるプリンタＰＲ８に適応する設定になっていた場合は、プリンタＰＲ９はプリンタＰＲ８をコピー先プリンタと認定して、プリンタＰＲ８に対してコピー処理を行う（ステップＳ３０５〜３０７）。
【０１１４】
これにより、同様の更新を行うべき同一属性を備えるプリンタまたは予め指定されたプリンタを検索しているので、これらのプリンタの情報等をより有効に活用することができ、簡単な操作で複数のプリンタのシステムプログラムや設定パラメータの同期を図ることができ、利便性を向上させることができる。
【０１１５】
（第４の実施の形態）
【０１１６】
図１２〜図１８を参照して、本発明についての第４の実施の形態に係る画像形成システムＳ４について説明する。
【０１１７】
図１２は、画像形成システムＳ４の構成を示すブロック図である。
【０１１８】
図１２に示すように、画像形成システムＳ４は、ネットワークＮを介して、画像処理装置の一種としてのプリンタＰＲ１０〜ＰＲ１２と、パーソナルコンピュータ等で構成される情報処理装置ＰＣ１とが接続されている。そのシステムに対してＵＳＢ接続でプリンタＰＲ１１にプリンタＰＲ１３が接続され構成されている。
【０１１９】
なお、本実施の形態では、４台のプリンタＰＲ１０〜ＰＲ１３が接続されている場合を示しているが、これには限定されず４台以上を接続してもよいし、その他にネットワーク機能を有する画像入力装置（スキャナ等）などを接続してもよい。
【０１２０】
また、本実施の形態では、プリンタＰＲ１０〜ＰＲ１３は、それぞれ類似の属性（例えば、モデルＡ、Ｂ、Ｃ、Ｄ）であるものとする。
【０１２１】
なお、各プリンタＰＲ１０〜ＰＲ１３の構成は、第１の実施の形態で示したプリンタＰＲ１、ＰＲ２の構成と同様である（図２参照）。
【０１２２】
ここで、図１５〜図１８を参照して、類似の属性のプリンタを検索する仕方の例について説明する。
【０１２３】
図１５に示すように、例えば、類似プリンタ検索設定として、「自動」と「指定」を設定できるようになっている。
【０１２４】
「指定」の場合には、例えばＩＰアドレスの指定あるいはプリンタ名の指定により類似する属性のプリンタを指定することとなる。
【０１２５】
また、「自動」の場合には、例えば詳細設定として、図１６に示すように「パラメータのレベルで判断」、「プリンタの台数で判断」、「類似表で判断」の３つの判断方法から選択できるようになっている。
【０１２６】
そして、「パラメータのレベルで判断」の場合は、図１７に示すようにプリンタのパラメータの内容及びそのレベルがテーブルで管理されている。
【０１２７】
ここで、「レベル」とは、そのパラメータの拡張情報（重み付け）であり、レベル数が大きい方が拡張されている。つまり、パラメータの「レベル１」からパラメータの「レベル２」に対してはコピーできるが、パラメータの「レベル２」からパラメータの「レベル１」にはコピーできないと判断するようにできる。
【０１２８】
また、どうしてもコピーしたいパラメータが存在する場合には、個別で指定することで、パラメータ個数の多い装置が選択されるようにすることもできる。
【０１２９】
そして、これらの情報を各プリンタＰＲ１０〜ＰＲ１３で比較参照することで、より数多くパラメータが設定できる装置を選択することができる。
【０１３０】
また、「プリンタの台数で判断」とは、この画像形成システムＳ４で使用されている一番多いモデルの装置に合わせるという考え方である。本実施の形態では、各モデルのプリンタが一台ずつしか存在しないので、この判断方法を指定することはできないが、例えば、モデルＡのプリンタが３台、モデルＢのプリンタが２台、モデルＣ、Ｄが一台ずつといった接続状態である場合には、モデルＡのプリンタ数が一番多いので、このモデルのプリンタに合わせるといったことが可能となる。
【０１３１】
また、「類似表で判断」とは、ユーザが予め「類似表」を作成、格納しておき、その類似表を参照することで類似のプリンタを決定する手法である。
【０１３２】
類似表は、特には限定されないが、例えば図１８のように構成することができる。
【０１３３】
図１８の例では、モデルＡの類似プリンタを選択する場合は、モデルＢ、モデルＣ、モデルＤの順番で優先度（類似度）が高いことになる。
【０１３４】
なお、この類似表について、メーカで提供する場合には例えばウェブサイトを指定することができる。
【０１３５】
また必要に応じて、メーカのウェブサイトから類似表をダウンロードし、所定の加工や変更をして、ネットワークＮ上のサーバに置くようにしてもよい。
【０１３６】
これにより、同一属性のプリンタが存在しない場合にもシステムプログラムや設定パラメータのコピーを可能とすることができる。
【０１３７】
次に、図１３、図１４のフローチャートを参照してコピー処理の処理手順について説明する。
【０１３８】
ＵＳＢ接続した際にＡ端子（ホスト）が接続されたプリンタがコピー元、Ｂ端子が接続されたプリンタがコピー先と自動的に設定される（ステップＳ４０１）。
【０１３９】
つまりコピー元がプリンタＰＲ１１で、コピー先はプリンタＰＲ１３である。
【０１４０】
コピー先であるプリンタＰＲ１３は、コピー制御部２ｌが動作して、Ｉ／Ｆ制御部２ｃを介してコピー元となるプリンタＰＲ１１の装置情報を取得する（ステップＳ４０２）。
【０１４１】
取得した装置情報より、プリンタＰＲ１３は、プリンタＰＲ１１が同一モデルのプリンタで無いことを確認すると、コピー元であるプリンタＰＲ１１に対してＩ／Ｆ制御部２ｃを介して自身のモデル情報を送信して、同一モデルの検索を依頼する。
【０１４２】
依頼を取得したプリンタＰＲ１１は、コピー制御部２ｌが動作して、ネットワークＮ内にあるプリンタから装置情報を取得して同一モデルの検索を実行する（ステップＳ４０４）。
【０１４３】
プリンタＰＲ１１は、ネットワークＮ上にプリンタＰＲ１３と同一モデルのプリンタがないと確認すると（ステップＳ４０４）、プリンタＰＲ１３と類似のプリンタの検索に処理を変更する（ステップＳ４０８）。
【０１４４】
類似プリンタの検索処理は、上述のように図１４〜図１８で設定された手法に従って処理される。
【０１４５】
これにより、類似の程度を予め設定した類似情報（類似表など）に基づいて判定しているので、類似の属性を備えるプリンタの情報等をより有効に活用することができ、利便性を向上させることができる。
【０１４６】
また、システム管理者は、複数あるプリンタに対してシステムプログラムの更新だけではなく、設定パラメータに関してもＵＳＢを接続するという簡単な操作で、システム内にある同一の属性を備えるプリンタもしくは類似の属性を備えるプリンタについても、設定情報のコピー処理が行われるため、作業負担を軽減して利便性を向上させることができる。
【０１４７】
また、設定コピーに関する詳細設定ができるようにすることで、部分的な機能の同一設定化等のきめ細かな管理もできる。
【０１４８】
（第５の実施の形態）
【０１４９】
図１９〜図２２を参照して、本発明についての第５の実施の形態に係る画像形成システムＳ５ａ〜Ｓ５ｃについて説明する。
【０１５０】
図１９の（ａ）〜（ｃ）は、３タイプの画像形成システムＳ５ａ〜Ｓ５ｃの構成を示すブロック図である。
【０１５１】
まず、画像形成システムＳ５ａは、ネットワークＮ上に同一機種（同一属性を備える機種）であるＡ系列の３台のプリンタＡ１〜Ａ３とＢ系列の２台のプリンタＢ１〜Ｂ２が接続されている場合を示している。
【０１５２】
なお、符号（Ｍ）はマスタープリンタ（コピー元）を示す。
【０１５３】
ネットワークＮ上というのは、同一サブネットマスク内のすべてのプリンタでもよいし、一部の選択した範囲内のプリンタでもよいし、特に範囲を限定するものではない。
【０１５４】
また、画像形成システムＳ５ｂは、図１９の（ａ）の構成の画像形成システムＳ５ａ内にプリンタＡ４というＡ系列のプリンタを接続して電源を投入した場合を示す。
【０１５５】
画像形成システムＳ５ｂ内に同一機種（同一属性を備える機種）が接続されているので、同一機種（同一属性を備える機種）のマスタープリンタの設定がプリンタＡ４に反映される。
【０１５６】
また、画像形成システムＳ５ｃは、図１９の（ａ）の構成の画像形成システムＳ５ａ内にプリンタＣ１というＣ系列のプリンタを接続して電源を投入した場合を示す。
【０１５７】
画像形成システムＳ５ｃ内に同一機種（同一属性を備える機種）が接続されていないので、各マスタープリンタの設定情報を取得してきて共通設定項目がプリンタＣ１に設定が反映され、プリンタＣ１はＣ系列のマスタープリンタとなる。
【０１５８】
次に、図２０のブロック図を参照して、プリンタＡ１等の構成について説明する。
【０１５９】
各プリンタは、同様に構成を備えており、ネットワークＮ上に接続されているマスタープリンタを検索するプリンタ検索手段２０１と、検索されたマスタープリンタから設定項目を取得する設定項目取得手段２０２と、取得された設定項目を比較する設定項目比較手段２０３と、比較結果に基づいて所定の設定項目を適用する設定適用手段２０４とから構成されている。
【０１６０】
なお、印刷用紙等への画像形成を行う画像形成手段等の構成については省略している。
【０１６１】
ここで、設定項目取得手段２０２は、ネットワークＮ上に同一機種（同一属性を備える機種）がある場合は同一機種のマスタープリンタの設定情報のみ取得し、同一機種がない場合は全マスタープリンタの設定項目を取得するようにできる。
【０１６２】
また、設定項目比較手段２０３は、ネットワークＮ上に同一機種がない場合のみ、設定項目取得手段２０２で取得した設定情報と自プリンタの設定項目を比較して共通設定項目を抽出するようにできる。
【０１６３】
また、設定適用手段２０４は、同一機種から取得した設定情報や、設定項目比較手段２０３で抽出した共通設定項目の設定情報を自プリンタに設定する。
【０１６４】
次に、図２１のフローチャートを参照して、画像形成システムＳ５ａ〜Ｓ５ｃで実行される設定共通化処理の処理手順について説明する。
【０１６５】
プリンタが接続されたときに、プリンタ検索手段によりネットワーク上のプリンタを検索する（ステップＳ５００）。
【０１６６】
次いで、ステップＳ５０１で、同一機種のマスタープリンタがあるかを判断し、同一機種のマスタープリンタがある場合には、ステップＳ５０２に移行して、設定項目取得手段２０２により同一機種のマスタープリンタの設定項目を取得する。
【０１６７】
そして、ステップＳ５０３で、設定適用手段２０４により設定を自プリンタに反映させて処理を終了する。
【０１６８】
一方、ステップＳ２０１で、同一機種のマスタープリンタがないと判定した場合には、設定項目取得手段２０２において全マスタープリンタの設定項目を取得する（ステップＳ５０４）。
【０１６９】
次いで、設定項目比較手段２０３により、全マスタープリンタの設定項目と自プリンタの設定項目の比較を実施し、共通項目を見つけ出す（ステップＳ５０５）。
【０１７０】
そして、ステップＳ５０６で、設定適用手段２０４により共通設定項目を自プリンタに反映させて、自プリンタが今後のマスタープリンタとした（ステップＳ５０７）後、処理を終了する。
【０１７１】
ここで、図２２は、ネットワークＮ上に同一機種（同一属性を備える機種）のプリンタがない場合の具体例である。
【０１７２】
３種類の機種のプリンタＡ，Ｂ，Ｃがある場合に、プリンタＡにはプリンタＢ、Ｃとの共通項目である共通ＡＢＣ、プリンタＢだけとの共通項目である共通ＡＢ、プリンタＣだけとの共通項目である共通ＡＣ、プリンタＡの独自設定である独自Ａがある。
【０１７３】
プリンタＢ，プリンタＣも同様に共通項目、独自項目がある。
【０１７４】
プリンタＣが接続されたとき、同一のプリンタがネットワークＮ上にない場合には、取得したプリンタＡの設定項目の中から共通項目を抽出する。
【０１７５】
この場合は、プリンタＡからプリンタＡ、Ｂ、Ｃの共通項目と、プリンタＡ、Ｃの共通項目を抽出する。
【０１７６】
また、プリンタＢに関しても同様にプリンタＢ、Ｃの共通項目を抽出する。
【０１７７】
そして、その共通項目をプリンタＣに適用する。
【０１７８】
このように、本実施の形態によれば、共通設定項目について設定状態に関する情報の更新を行っているので、各プリンタの設定状態を共通化することができ、利便性を向上させることができる。
【０１７９】
また、パーソナルコンピュータなどを利用せずに、プリンタを接続するだけで簡単に設定項目の共通化ができるので、より利便性を向上させることができる。
【０１８０】
（第６の実施の形態）
【０１８１】
図２３、図２４を参照して、本発明についての第６の実施の形態に係る画像形成システムＳ６ａ〜Ｓ６ｃについて説明する。
【０１８２】
図２３の（ａ）〜（ｃ）は、３タイプの画像形成システムＳ６ａ〜Ｓ６ｃの構成を示すブロック図である。
【０１８３】
まず、図２３（ａ）の画像形成システムＳ６ａは、ネットワークＮ上にＡ系列の同一機種（同一属性を備える機種）のプリンタＡ１〜Ａ３と、Ｂ系列の同一機種（同一属性を備える機種）のプリンタＢ１、Ｂ２が接続されている場合を示している。
【０１８４】
なお、符号（Ｓ）は同期をするプリンタを示す。
（Ｓ）を付していないプリンタは、同期しないプリンタであり、同期しない設定にしておくことにより、他のプリンタと同じ設定にならないようにすることができる。これにより、ネットワークＮ上で特殊な用途に使いたい場合などに、別の設定にしておくことが可能である。
【０１８５】
図２３（ｂ）の画像形成システムＳ６ｂは、画像形成システムＳ６ａ内にプリンタＡ４というＡ系列のプリンタを接続して電源を投入した場合を示す。
【０１８６】
画像形成システムＳ６ｂ内に同一機種が接続されているので、同一機種で同期するプリンタの設定がプリンタＡ４に反映され、プリンタＡ４は同期するプリンタとなる。
【０１８７】
図２３（ｃ）の画像形成システムＳ６ｃは、画像形成システムＳ６ａ内にプリンタＣ１というＣ系列のプリンタを接続して電源を投入した場合を示す。
【０１８８】
画像形成システムＳ６ｃ内に同一機種（同一属性を備える機種）が接続されていないので、同期するプリンタの設定情報を取得してきて共通設定項目がプリンタＣ１に設定が反映され、プリンタＣ１は同期するプリンタとなる。
【０１８９】
なお、各プリンタの構成は、第５の実施の形態と同じである。
【０１９０】
次に、図２４のフローチャートを参照して、画像形成システムＳ６ａ〜Ｓ６ｃで実行される設定同期処理の処理手順について説明する。
【０１９１】
ステップＳ６１０では、プリンタが接続されたときに、プリンタ検索手段２０１によりネットワークＮ上のプリンタを検索する。
【０１９２】
次いでステップＳ６１１で、同一機種の同期するプリンタがあるかを判断し、同一機種の同期するプリンタがある場合（「Ｙｅｓ」の場合）には、設定項目取得手段２０２により同一機種の同期するプリンタの設定項目を取得する（ステップＳ６１２）。
【０１９３】
そして、設定適用手段２０４により設定を自プリンタに反映させて（ステップＳ６１３）、処理を終了する。
【０１９４】
一方、ステップＳ６１１で、同一機種の同期するプリンタがないと判定された場合には、設定項目取得手段２０２において、全ての同期するプリンタの設定項目を取得する（ステップＳ６１４）。
【０１９５】
但し、同一機種で複数の同期するプリンタがある場合は、そのうちの１つのプリンタ情報だけ取得すればよい。
【０１９６】
そして、設定項目比較手段２０３により、同期するプリンタの設定項目と自プリンタの設定項目の比較を実施し、共通項目を見つけ出す（ステップＳ６１５）。
【０１９７】
次いで、ステップＳ６１６で、設定適用手段２０４により設定項目を自プリンタに反映させて、自プリンタ同期するプリンタとして処理を終了する。
【０１９８】
これにより、ネットワーク上に設定を同期しないプリンタを置くこともでき、特殊用途に使うなどの目的で異なる設定にしておきたいという要求に対しても対応することが可能となる。
【０１９９】
（第７の実施の形態）
【０２００】
図２５〜図３０を参照して、本発明についての第７の実施の形態に係る画像形成システムＳ７について説明する。
【０２０１】
図２５のブロック図に示すように、Ａ系列のプリンタＡ１と、Ｂ系列の同一機種（同一属性を備える機種）のプリンタＢ１、Ｂ２と、Ｃ系列のプリンタＣ１が、ネットワークＮを介して接続されて画像形成システムＳ７が構成されている。
【０２０２】
なお、ネットワークＮにはパーソナルコンピュータ等の情報処理装置やサーバ等が接続されるようにしてもよい。
【０２０３】
また、ネットワーク上というのは、同一サブネットマスク内のすべてのプリンタでもよいし、一部の選択した範囲内のプリンタでもよいし、特に範囲を限定するものではない。
【０２０４】
次に、図２６のブロック図を参照して、プリンタＡ１等の構成について説明する。
【０２０５】
各プリンタは、同様に構成を備えており、ネットワークＮ上に接続されているプリンタを検索するプリンタ検索手段３０１と、検索されたプリンタから設定項目を取得する設定項目取得手段３０２と、設定に関する情報を送受信する設定送受信手段３０４と、取得された設定項目を比較する設定項目比較手段３０５と、比較結果に基づいて所定の設定項目を適用する設定手段３０３とから構成されている。
【０２０６】
ここで、設定手段３０３は設定変更したい項目を自プリンタに設定する手段であり、設定送受信手段３０４は設定項目比較手段３０５によりネットワークＮ上のプリンタの設定を変更する必要があると判断された場合に、ネットワークＮ上のプリンタに対して設定変更情報を送信したり受信したりする手段である。
【０２０７】
なお、印刷用紙等への画像形成を行う画像形成手段等の構成については省略している。
【０２０８】
次に、図２７のフローチャートを参照して画像形成システムＳ７で実行される設定共通化処理の処理手順について説明する。
【０２０９】
まず、ステップＳ７００では自プリンタの設定を変更する。
【０２１０】
変更を受け付けると、プリンタ検索手段３０１によりネットワークＮ上の複数のプリンタを検索する（ステップＳ７０１）。
【０２１１】
ネットワークＮ上にプリンタがある場合（ステップＳ７０２で「Ｙｅｓ」の場合）には、設定項目取得手段３０２でネットワークＮに接続されたプリンタの設定を取得する（ステップＳ７０３）。
【０２１２】
そして、設定項目比較手段３０５で、変更した自プリンタの設定とネットワークＮ上に接続されている検索したプリンタの設定項目とを比較して、同一設定項目があれば設定送受信手段３０４により、設定を検索したプリンタに送信する。
【０２１３】
検索されたプリンタは、設定変更内容を受信後に設定手段３０３により設定を変更する（ステップＳ７０４〜Ｓ７０６）。
【０２１４】
同一設定項目があり、設定変更情報を送信した後、および同一設定項目がない場合は、検索された次のプリンタに対して同様の処理を行い、全てのプリンタに対して処理を行うと処理を終了する。
【０２１５】
ここで、図２８〜図３０は設定内容に関するプリンタ間の共通化概念の例を示す説明図である。
【０２１６】
プリンタＢ１には、プリンタＡ１、Ｃ１との共通項目である共通ＡＢＣ、プリンタＡ１とだけの共通項目である共通ＡＢ、プリンタＣ１とだけの共通項目である共通ＢＣ、プリンタＢ２の独自設定である独自Ｂがある。
【０２１７】
プリンタＡ１，プリンタＣ１も同様に他機種との共通項目、独自項目がある。
【０２１８】
図２８は、プリンタＢ２の共通ＡＢＣに該当する設定値を変更した場合、設定がネットワークＮ上で検索したどのプリンタに反映されるかを示している。
【０２１９】
共通ＡＢＣの設定項目をもっているプリンタＡ１、プリンタＢ１、プリンタＣ１に設定が反映される。
【０２２０】
図２９は、プリンタＢ２の共通ＡＢに該当する設定値を変更した場合に、設定がネットワークＮ上で検索したどのプリンタに反映されるかを示している。
【０２２１】
共通ＡＢの設定項目をもっているプリンタＡ１、プリンタＢ１に設定が反映される。
【０２２２】
図３０は、プリンタＢ２の独自Ｂに該当する設定値を変更した場合に、設定がネットワークＮ上で検索したどのプリンタに反映されるかを示しており、独自Ｂの設定項目をもっているプリンタＢ１に設定が反映される。
【０２２３】
このように、パーソナルコンピュータ等を介さずにプリンタＡ１等をネットワークＮに接続されている１つのプリンタの設定を変更するだけで簡単にネットワークＮ上に接続されている他のプリンタについても同一機種（同一属性を備える機種）のあり、なしに関わらず同一設定を備えていれば同一の設定値にすることができ、利便性を向上させることができる。
【０２２４】
なお、画像形成システムＳ７において、更に設定変更許可情報を有するようにして、設定変更許可情報が許可であれば本実施の形態と同じように変更が可能で、設定変更許可情報が不許可であれば、設定変更ができないようにしてもよい。
【０２２５】
これにより、設定項目取得手段３０２で設定変更許可情報を取得でき、この情報が不許可であれば、ネットワークＮ上のプリンタに対して設定を行わないようにできる。
【０２２６】
（第８の実施の形態）
【０２２７】
図３１、図３２を参照して、本発明についての第８の実施の形態に係る画像形成システムＳ８について説明する。
【０２２８】
なお、画像形成システムＳ８の構成は、画像形成システムＳ７と同様であるので図示は省略する。
【０２２９】
画像形成システムＳ８に適用されるプリンタＡ１等の構成を図３１のブロック図に示すが、画像形成システムＳ７に適用されるプリンタとほぼ同様の構成であり、異なる点は、設定項目取得手段３０２に代えて、設定問合せ手段３１０を備えている点である。
【０２３０】
設定問合せ手段３１０は、ネットワークＮ上に接続されたプリンタに対して、同一設定項目があるかどうかを問合せる手段である。
【０２３１】
設定項目比較手段３０５は、問合せがあった設定項目と自プリンタの設定項目を比較して共通設定項目があるかどうかを判断する。
【０２３２】
設定手段３０３は、設定変更したい項目を自プリンタに設定する。
【０２３３】
設定送受信手段３０４は、設定項目比較手段によりネットワークＮ上のプリンタの設定を変更する必要があると判断された場合、ネットワークＮ上のプリンタに対して設定変更情報を送信したり受信したりする。
【０２３４】
次に、図３２のフローチャートを参照して画像形成システムＳ８で実行される設定処理の処理手順について説明する。
【０２３５】
まず、ステップＳ３１０で自プリンタの設定を変更する。
【０２３６】
変更を受け付けると、プリンタ検索手段３０１によりネットワークＮ上の複数のプリンタを検索する（ステップＳ７１１）。
【０２３７】
ネットワークＮ上にプリンタがある場合（ステップＳ７１２で「Ｙｅｓ」の場合）には、設定問合せ手段３１０でネットワークＮに接続されたプリンタに対して同一設定があるかどうかを問合せする（ステップＳ７１３）。
【０２３８】
問合せを受けたプリンタは、設定項目比較手段３０５により設定項目を比較して、同一設定項目があるかどうか判断する（ステップＳ７１４）。
【０２３９】
そして、同一設定項目がある場合にはステップＳ７１５でプリンタに反映する。
【０２４０】
プリンタに設定を反映後、および同一設定項目がない場合には、次のプリンタに対して同様の処理を行う。
【０２４１】
このように、パーソナルコンピュータ等を介さずにプリンタＡ１等をネットワークＮに接続されている１つのプリンタの設定を変更するだけで簡単にネットワークＮ上に接続されている他のプリンタについても同一機種（同一属性を備える機種）のあり、なしに関わらず同一設定を備えていれば同一の設定値にすることができ、利便性を向上させることができる。
【０２４２】
なお、画像形成システムＳ８において、更に設定変更許可情報を有するようにして、設定変更許可情報が許可であれば本実施の形態と同じように変更が可能で、設定変更許可情報が不許可であれば、設定変更ができないようにしてもよい。
【０２４３】
これにより、設定問合せ手段３１０で問合せがあった場合に、設定変更許可情報を参照して不許可であれば、ネットワークＮ上のプリンタに対して同一設定項目なしで返すようにできる。これにより、同一設定の処理は行われないようにできる。
【０２４４】
（第９の実施の形態）
【０２４５】
図３３、図３４を参照して、本発明についての第９の実施の形態に係る画像形成システムＳ９について説明する。
【０２４６】
なお、画像形成システムＳ９の構成は、画像形成システムＳ７と同様であるので図示は省略する。
【０２４７】
画像形成システムＳ８に適用されるプリンタＡ１等の構成を図３３のブロック図に示すが、画像形成システムＳ７に適用されるプリンタとほぼ同様の構成であり、異なる点は、設定項目取得手段３０２が省略されている点である。
【０２４８】
ここで、プリンタ検索手段３０１は、ネットワークＮ上に接続されたプリンタを検索する手段である。
【０２４９】
設定項目比較手段３０５は、設定変更要求があった場合にプリンタの設定項目を比較して共通設定項目があるかどうかを判断する手段である。
【０２５０】
設定手段３０３は、設定変更したい項目を自プリンタに設定する手段である。
【０２５１】
設定送受信手段３０４は、自プリンタの設定変更後、ネットワークＮ上のプリンタに対して設定変更情報を送信したり受信したりする手段である。
【０２５２】
次に、図３４のフローチャートを参照して画像形成システムＳ９で実行される設定処理の処理手順について説明する。
【０２５３】
まず、ステップＳ９２０で、自プリンタの設定を変更する。
【０２５４】
変更を受け付けると、プリンタ検索手段３０１によりネットワークＮ上の複数のプリンタを検索する（ステップＳ９２１）。
【０２５５】
ネットワークＮ上にプリンタがあれば、設定送受信手段３０４にてネットワークＮに接続されたプリンタに対して設定を送信する。
【０２５６】
受ける側のプリンタは設定送受信手段３０４により、設定変更情報を受け取り、設定項目比較手段３０５により設定項目の比較を行い、同一設定項目があれば、プリンタに反映する（ステップＳ９２２〜Ｓ９２６）。
【０２５７】
プリンタに設定を反映後、および同一設定項目がない場合には、次のプリンタに対して同様の処理を行う。
【０２５８】
このように、パーソナルコンピュータ等を介さずにプリンタＡ１等をネットワークＮに接続されている１つのプリンタの設定を変更するだけで簡単にネットワークＮ上に接続されている他のプリンタについても同一機種（同一属性を備える機種）のあり、なしに関わらず同一設定を備えていれば同一の設定値にすることができ、利便性を向上させることができる。
【０２５９】
画像形成システムＳ９において、プリンタに、更に設定変更許可情報を有するようにして、設定変更許可情報が許可であれば本実施の形態と同じように変更が可能で、設定変更許可情報が不許可であれば、設定変更ができないようにできる。
【０２６０】
これにより、３０５設定項目比較手段において設定変更許可情報を参照して不許可であれば、設定を適用しないようにできる。
【０２６１】
（第１０の実施の形態）
【０２６２】
図３５〜図３９を参照して、本発明についての第１０の実施の形態に係る画像形成システムＳ１０について説明する。
【０２６３】
図３５のブロック図に示すように、Ａ系列のプリンタＡと、Ｂ系列のプリンタＢと、Ｃ系列のプリンタＣと、それぞれのプリンタとデータの送受信が可能なサーバＳＡが、ネットワークＮを介して接続されて、画像形成システムＳ１０を構成している。
【０２６４】
各プリンタＡ、Ｂ、Ｃは、システムプログラムや操作パネルによって設定された項目など（以後、設定パラメータリスト）を記憶する不揮発性メモリ５００を備えている。
【０２６５】
なお、本実施の形態では記憶手段の一例として不揮発性メモリが用いられているが、不揮発性メモリに代えて、揮発性メモリやハードディスクドライブ等の記憶手段を用いることもできる。
【０２６６】
また、サーバＳＡは、ハードディスクドライブ（ＨＤＤ）６００を備え、ネットワークＮ上に存在する各プリンタＡ等の設定パラメータリストをまとめた設定パラメータテーブルＴ１が格納されている。
【０２６７】
また、サーバＳＡは、ネットワークＮ上に存在するプリンタ等を監視し、新たに接続されたプリンタを見つけたときには、そのプリンタに対しコマンドを出力するアプリケーションソフトウェア等を搭載する。
【０２６８】
次に、図３６のフローチャートを参照して、画像形成システムＳ１０で実行される設定処理の処理手順について説明する。
【０２６９】
なお、ここでは、図３５の画像形成システムＳ１０において、プリンタＣを新たに接続したものとする。
【０２７０】
サーバＳＡは、定期的にネットワークＮ上のプリンタ等を監視し、ここでは、プリンタＣが接続されたことを検知した場合（ステップＳ１４００で「Ｙｅｓ」の場合）には、そのプリンタＣとのコマンドの送受信を開始する（ステップＳ１４０１）。
【０２７１】
サーバＳＡは、プリンタＣに対し設定パラメータのセットアップが必要・不要を確認するためのコマンドを送信する（ステップＳ１４０２）。
【０２７２】
プリンタＣはコマンドを受け取ったら、設定パラメータが工場出荷時と同じ時（変更されていない時）、または使用者が再セットアップを希望しない時はセットアップ不要という応答をサーバに返し（ステップＳ１４０４）、設定パラメータが工場出荷時と異なる時（変更されている時）、または使用者が再セットアップを希望する時はセットアップ必要という応答をサーバに返す（ステップＳ１４０３）。
【０２７３】
プリンタＣからの応答が不要の場合は、ステップＳ１４００のプリンタ監視状態に戻り、必要な場合は設定パラメータ更新処理（ステップＳ１４０６以降）へ移る。
【０２７４】
ここで、図３７はサーバＳＡが管理する設定パラメータテーブルＴ１の形式の例を示す。
【０２７５】
ステップＳ１４０６で、サーバＳＡはネットワークＮに接続されたプリンタＣの機種を問い合わせ、設定パラメータテーブルＴ１に登録されているプリンタであった場合（ステップＳ１４０７で「Ｙｅｓ」の場合）は、そのプリンタの設定パラメータリストを送信する（ステップＳ１４０８）。
【０２７６】
プリンタＣは受信したコマンドに従って不揮発性メモリ５００に記憶されている設定パラメータを全て更新する（ステップＳ１４０９）。
【０２７７】
一方、プリンタＣが設定パラメータテーブルＴ１に登録されていない場合（ステップＳ１４０７で「Ｎｏ」の場合）は、設定パラメータテーブルＴ１に登録されているプリンタの設定パラメータリストを全て送信する（ステップＳ１４１０）。
【０２７８】
もちろんプリンタＣとそれ以外のプリンタとの設定項目が全て同じというわけではなく、不要なパラメータも送信されてくるので、プリンタＣに必要なパラメータのみを更新する。
【０２７９】
全てのパラメータを更新し終わったら、プリンタＣはサーバＳＡの設定パラメータテーブルＴ１に登録するための設定パラメータリストを作成し、サーバＳＡに送信する。
【０２８０】
サーバＳＡは、設定パラメータテーブルＴ１にプリンタＣの設定パラメータリストを追加する。
【０２８１】
これにより、サーバＳＡが接続されているネットワークＮにプリンタを接続するだけで、ネットワークＮ上にある同一機種（同一属性を備える機種）のプリンタと同じ設定に自動ですることができる。
【０２８２】
また同一機種のプリンタがない場合でも、ネットワークＮ上にあるプリンタとの共通項目を同じ設定に自動ですることができる。
【０２８３】
次に、図３８のフローチャートを参照して、設定処理の他の例の処理手順について説明する。
【０２８４】
なお、図３９には設定パラメータテーブルＴ２の構成例を示す。
【０２８５】
図３８のフローチャートにおいて、サーバＳＡはネットワークＮ上にプリンタＣが接続されたことを検知すると（ステップＳ１４２０で「Ｙｅｓ」の場合）、プリンタＣに対し設定パラメータテーブルＴ２に登録されているパラメータを全て送信する（ステップＳ１４２１）。
【０２８６】
設定パラメータテーブルＴ２は、サーバＳＡが管理しているプリンタの設定パラメータを全て網羅した設定パラメータのリストなので、プリンタＣに関係のない設定パラメータも送信されてくる。
【０２８７】
従ってプリンタＣは必要なパラメータのみをピックアップして、不揮発性メモリ５００に記憶されている設定パラメータを全て更新する。
【０２８８】
サーバＳＡからの設定パラメータを全て受信し終わったところで、プリンタＣの設定パラメータが全て更新されたことを確認する。
【０２８９】
この際に、更新されていないパラメータが存在した場合は、それらを全てリストアップして未更新設定パラメータリストを作成し、サーバに送信し追加要求を行う。
【０２９０】
サーバは設定パラメータテーブルに新規設定パラメータリストを追加する（ステップＳ１４２６〜１４３１）。
【０２９１】
これにより、サーバＳＡが接続されているネットワークＮにプリンタを接続するだけで、ネットワークＮ上にある同一機種（同一属性を備える機種）のプリンタと同じ設定に自動ですることができるという同等の効果を得ることができる。
【０２９２】
さらに、サーバＳＡが保持する設定パラメータテーブルが簡素化されており要求のあったプリンタに対してデータを送信するようになっているので、サーバＳＡの負荷を軽減することが可能である。
【０２９３】
（第１１の実施の形態）
【０２９４】
図４０、図４１を参照して、本発明についての第１１の実施の形態に係る画像形成システムＳ１１について説明する。
【０２９５】
図４０のブロック図に示すように、Ａ系列のプリンタＡと、Ｂ系列のプリンタＢと、Ｄ系列のプリンタＤと、それぞれのプリンタとデータの送受信が可能なサーバＳＡが、ネットワークＮを介して接続されて、画像形成システムＳ１１を構成している。
【０２９６】
また、プリンタＢはＵＳＢホストインターフェイス７００ａを、プリンタＤはＵＳＢデバイスインターフェイス７００ｂをそれぞれ備え、ＵＳＢケーブル７００ｃを介して接続されている。
【０２９７】
なお、ＵＳＢに代えて、ＩＥＥＥ規格等のインターフェイスとケーブルで接続するようにしてもよい。
【０２９８】
各プリンタＡ、Ｂ、Ｄは、システムプログラムや操作パネルによって設定された項目など（以後、設定パラメータリスト）を記憶する不揮発性メモリ５００を備えている。
【０２９９】
なお、本実施の形態では記憶手段の一例として不揮発性メモリが用いられているが、不揮発性メモリに代えて、揮発性メモリやハードディスクドライブ等の記憶手段を用いることもできる。
【０３００】
また、サーバＳＡは、ハードディスクドライブ（ＨＤＤ）６００を備え、ネットワークＮ上に存在する各プリンタＡ等の設定パラメータリストをまとめた設定パラメータテーブルＴ３が格納されている。
【０３０１】
また、サーバＳＡは、ネットワークＮ上に存在するプリンタ等を監視し、新たに接続されたプリンタを見つけたときには、そのプリンタに対しコマンドを出力するアプリケーションソフトウェア等を搭載する。
【０３０２】
次に、図４１のフローチャートを参照して、画像形成システムＳ１１で実行される設定処理の処理手順について説明する。
【０３０３】
なお、ここでは、図４０の画像形成システムＳ１１において、プリンタＤを新たに接続したものとする。
【０３０４】
まず、ステップＳ１４４０で、プリンタＢをＵＳＢホストとして、プリンタＤをＵＳＢデバイスとしてＵＳＢケーブル７００ｃを用いてローカル接続を行う。
【０３０５】
プリンタＢは、プリンタＤに対し、設定パラメータのセットアップが必要・不要の問い合わせを行う（ステップＳ１４４１、Ｓ１４４２）。
【０３０６】
プリンタＤは、設定パラメータが工場出荷時と同じ時（変更されていない時）、または使用者が再セットアップを希望しない時はセットアップ不要という応答を返し（ステップＳ１４４４）、設定パラメータが工場出荷時と異なる時（変更されている時）、または使用者が再セットアップを希望する時はセットアップ必要という応答を返す（ステップＳ１４４３）。
【０３０７】
プリンタＤからの応答が不要の場合は、処理は終了し、必要な場合は設定パラメータ更新処理（ステップＳ１４４６以降）へと移る。
【０３０８】
ステップＳ１４４６では、プリンタＢはＵＳＢケーブル７００ｃを介してプリンタＤの機種を問い合わせる。
【０３０９】
次にネットワークに接続されたサーバに対しプリンタＤの設定パラメータリストがすでに設定パラメータテーブルに登録されているどうかを確認する（ステップＳ４４７）。
【０３１０】
存在した場合（「Ｙｅｓ」の場合）は、プリンタＢはプリンタＤの設定パラメータリストを送信するようにサーバＳＡに指示する（ステップＳ４４８）。
【０３１１】
プリンタＢは、受信したパラメータをさらにＵＳＢケーブル７００ｃを介してプリンタＤに送信し、プリンタＤはコマンドに従って不揮発性メモリ５００に記憶されている設定パラメータを全て更新する（ステップＳ１４４９）。
【０３１２】
一方、プリンタＤが設定パラメータテーブルに登録されていない場合（ステップＳ１４４７で「Ｎｏ」の場合）は、プリンタＢは設定パラメータテーブルに登録されているプリンタの設定パラメータリストを全て送信するように指示する（ステップＳ１４５０）。
【０３１３】
プリンタＢは、受信したパラメータをさらにＵＳＢケーブル７００ｃを介してプリンタＤに送信する。
【０３１４】
プリンタＤとそれ以外のプリンタとの設定項目が全て同じというわけではなく不要なパラメータも送信されてくるので、プリンタＤはプリンタＤに必要なパラメータのみを更新する（ステップＳ１４５１）。
【０３１５】
全てのパラメータを更新し終わったら、プリンタＤはサーバＳＡの設定パラメータテーブルＴ３に登録するための設定パラメータリストを作成し、プリンタＢに送信する（ステップＳ１４５３）。
【０３１６】
さらにプリンタＢはサーバＳＡにプリンタＤの設定パラメータリストを送信し、サーバＳＡは設定パラメータテーブルにプリンタＤの設定パラメータリストを追加（ステップＳ１４５４）して処理を終了する。
【０３１７】
これにより、ＵＳＢケーブル７００ｃを所定のプリンタを接続するだけで、ネットワークＮ上にある同一機種（同一属性を備える機種）のプリンタと同じ設定に自動ですることができる。
【０３１８】
また、サーバＳＡは基本的にデータを管理するだけよく、ホストとなるプリンタＢがデータの制御を行うのでサーバ側のアプリケーションソフトウェアの処理を簡素化することが可能である。
【０３１９】
以上述べたように、プリンタをネットワークにまたはＵＳＢを介してプリンタに接続するだけで、ネットワーク上にあるプリンタと同じ設定にすることができる。
【０３２０】
また、同一機種（同一属性を備える機種）のプリンタがない場合には、共通設定項目のみ同じ設定にすることができる。
【０３２１】
また、同一機種（同一属性を備える機種）のプリンタがない場合に、共通項目の設定をコピーするので設定する項目数を減らすことができる。
【０３２２】
また、ネットポートが無いプリンタにおいてもローカル接続（ＵＳＢ接続等）により同等の効果を得ることができる。
【０３２３】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０３２４】
また、プログラムを用いる場合には、ネットワークを介して提供し、或いはＣＤ−ＲＯＭ等の記録媒体に格納して提供することが可能である。
【産業上の利用可能性】
【０３２５】
本発明による画像形成装置、画像形成システムおよび画像形成プログラムは、ネットワーク接続機能を備えるレーザプリンタ、フルカラープリンタ、複合機、インクジェット方式のプリンタ、ファクシミリ装置等に適用することができる。
【図面の簡単な説明】
【０３２６】
【図１】第１の実施の形態に係る画像形成システムＳ１の構成を示すブロック図である。
【図２】プリンタの構成を示すブロック図である。
【図３】コピー処理の処理手順について説明するフローチャートである。
【図４】システムプログラムや設定パラメータのコピーに関する詳細設定を示す説明図である。
【図５】システムプログラムや設定パラメータのコピーに関する詳細設定を示す説明図である。
【図６】システムプログラムや設定パラメータのコピーに関する詳細設定を示す説明図である。
【図７】第２の実施の形態に係る画像形成システムＳ２の構成を示すブロック図である。
【図８】コピー処理の処理手順について説明するフローチャートである。
【図９】第３の実施の形態に係る画像形成システムＳ３の構成を示すブロック図である。
【図１０】コピー処理の処理手順について説明するフローチャートである。
【図１１】コピー先設定の例を示す説明図である。
【図１２】第４の実施の形態に係る画像形成システムＳ４の構成を示すブロック図である。
【図１３】コピー処理の処理手順について説明するフローチャートである。
【図１４】コピー処理の処理手順について説明するフローチャートである。
【図１５】類似プリンタ検索設定を示す説明図である。
【図１６】自動設定の例を示す説明図である。
【図１７】パラメータテーブルの例を示す説明図である。
【図１８】類似表の例を示す説明図である。
【図１９】第５の実施の形態に係る画像形成システムＳ５ａ〜Ｓ５ｃの構成を示すブロック図である。
【図２０】プリンタの構成を示すブロック図である。
【図２１】設定共通化処理の処理手順について説明するフローチャートである。
【図２２】ネットワークＮ上に同一機種（同一属性を備える機種）のプリンタがない場合の設定例を示す説明図である。
【図２３】第６の実施の形態に係る画像形成システムＳ６ａ〜Ｓ６ｃの構成を示すブロック図である。
【図２４】設定同期処理の処理手順について説明するフローチャートである。
【図２５】第７の実施の形態に係る画像形成システムＳ７の構成を示すブロック図である。
【図２６】プリンタの構成を示すブロック図である。
【図２７】設定共通化処理の処理手順について説明するフローチャートである。
【図２８】設定反映の例を示す説明図である。
【図２９】設定反映の例を示す説明図である。
【図３０】設定反映の例を示す説明図である。
【図３１】第８の実施の形態に係る画像形成システムＳ８の構成を示すブロック図である。
【図３２】設定処理の処理手順について説明するフローチャートである。
【図３３】第９の実施の形態に係る画像形成システムＳ９の構成を示すブロック図である。
【図３４】設定処理の処理手順について説明するフローチャートである。
【図３５】第１０の実施の形態に係る画像形成システムＳ１０の構成を示すブロック図である。
【図３６】設定処理の処理手順について説明するフローチャートである。
【図３７】設定パラメータテーブルの形式の例を示す説明図である。
【図３８】設定処理の処理手順について説明するフローチャートである。
【図３９】設定パラメータテーブルの形式の例を示す説明図である。
【図４０】第１１の実施の形態に係る画像形成システムＳ１１の構成を示すブロック図である。
【図４１】設定処理の処理手順について説明するフローチャートである。
【符号の説明】
【０３２７】
ＰＲ１〜ＰＲ１３  プリンタ（画像形成装置）
２ａ  ＣＰＵ（接続判定手段、確認手段、更新手段、検索手段）
２ｂ  ジョブ管理部
２ｃ  インターフェイス制御部（送信手段、受信手段）
２ｃ  データ処理部
２ｅ  データ処理部
２ｆ  印刷制御部
２ｇ  エンジン
２ｈ  パネル制御部
２ｉ  パネル（選択手段）
２ｊ  データベース処理部
２ｋ  記憶媒体
２ｌ  コピー制御部
２０１  プリンタ検索手段（検索手段）
２０２  設定項目取得手段（情報収集手段）
２０３  設定項目比較手段（比較手段）
２０４  設定適用手段
３０１  プリンタ検索手段
３０２  設定項目取得手段
３０３  設定手段
３０４  設定送受信手段
３０５  設定項目比較手段
３１０  設定問合せ手段
５００  不揮発性メモリ（記憶手段）
６００  ハードディスクドライブ（ＨＤＤ）
７００ａ  ホストインターフェイス
７００ｂ  デバイスインターフェイス
７００ｃ  ＵＳＢケーブル
Ｓ１  画像形成システム
Ｓ２  画像形成システム
Ｓ３  画像形成システム
Ｓ４  画像形成システム
Ｓ５ａ〜Ｓ５ｃ  画像形成システム
Ｓ６ａ〜Ｓ６ｃ  画像形成システム
Ｓ７  画像形成システム
Ｓ８  画像形成システム
Ｓ９  画像形成システム
Ｓ１０  画像形成システム
Ｓ１１  画像形成システム
ＳＡ  サーバ（検索手段）
Ｎ  ネットワーク
Ｔ１  設定パラメータテーブル
Ｔ２  設定パラメータテーブル
Ｔ３  設定パラメータテーブル
【図１】
0005142025.tif 000002
【図２】
0005142025.tif 000003
【図３】
0005142025.tif 000004
【図４】
0005142025.tif 000005
【図５】
0005142025.tif 000006
【図６】
0005142025.tif 000007
【図７】
0005142025.tif 000008
【図８】
0005142025.tif 000009
【図９】
0005142025.tif 000010
【図１０】
0005142025.tif 000011
【図１１】
0005142025.tif 000012
【図１２】
0005142025.tif 000013
【図１３】
0005142025.tif 000014
【図１４】
0005142025.tif 000015
【図１５】
0005142025.tif 000016
【図１６】
0005142025.tif 000017
【図１７】
0005142025.tif 000018
【図１８】
0005142025.tif 000019
【図１９】
0005142025.tif 000020
【図２０】
0005142025.tif 000021
【図２１】
0005142025.tif 000022
【図２２】
0005142025.tif 000023
【図２３】
0005142025.tif 000024
【図２４】
0005142025.tif 000025
【図２５】
0005142025.tif 000026
【図２６】
0005142025.tif 000027
【図２７】
0005142025.tif 000028
【図２８】
0005142025.tif 000029
【図２９】
0005142025.tif 000030
【図３０】
0005142025.tif 000031
【図３１】
0005142025.tif 000032
【図３２】
0005142025.tif 000033
【図３３】
0005142025.tif 000034
【図３４】
0005142025.tif 000035
【図３５】
0005142025.tif 000036
【図３６】
0005142025.tif 000037
【図３７】
0005142025.tif 000038
【図３８】
0005142025.tif 000039
【図３９】
0005142025.tif 000040
【図４０】
0005142025.tif 000041
【図４１】
0005142025.tif 000042